(57)【要約】【課題】衛生面の改善を図る機能を追加したり、加湿能力を向上せて加湿性能を向上させた加湿装置及びこれを用いた空気調和機を提供する。【解決手段】水分の吸着と放出とが可能な回転素子４と、吸引した室外空気を、回転素子４を介して室外に導く通路２と、室外空気の吸引を行う送風手段３と、吸引した室内空気を、回転素子４を介して室内に導く通路７と、室内空気の吸引を行う送風手段８と、加熱手段９とを備え、回転素子４は、室外空気の水分を吸着する吸着部５と、加熱手段９で加熱された室外空気に水分を放出する加湿部６とに区画され、加湿装置の運転を制御する制御手段をさらに備え、制御手段は、加湿装置の運転停止の際は、回転素子４の回転駆動を停止させ、加熱手段９、及び送風機８の運転は停止させることなく、一定時間これらの運転を継続した後、これらの運転を停止する設定を含んでいる。【選択図】　図１
2004020109.tif 000002
【特許請求の範囲】
【請求項１】
水分の吸着と放出とが可能な回転素子と、吸引した室外空気を、前記回転素子を介して室外に導く第１の通路と、前記室外空気の吸引を行う第１の送風手段と、吸引した室内空気を、前記回転素子を介して室内に導く第２の通路と、前記室内空気の吸引を行う第２の送風手段と、前記第２の通路に設けられた加熱手段とを備え、
前記回転素子は、前記第１の通路からの室外空気の水分を吸着する吸着部と、前記第２の通路からの前記加熱手段で加熱された室外空気に水分を放出する加湿部とに区画され、前記加湿部を経た加湿空気を室内に排気する加湿装置であって、
前記加湿装置の運転を制御する制御手段をさらに備え、前記制御手段は、前記加湿装置の運転停止の際は、前記回転素子の回転駆動を停止させ、前記加熱手段、及び前記第２の送風機の運転は停止させることなく、一定時間これらの運転を継続した後、これらの運転を停止する設定を含んでいることを特徴とする加湿装置。
【請求項２】
水分の吸着と放出とが可能な回転素子と、吸引した室外空気を、前記回転素子を介して室外に導く第１の通路と、前記室外空気の吸引を行う第１の送風手段と、吸引した室内空気を、前記回転素子を介して室内に導く第２の通路と、前記室内空気の吸引を行う第２の送風手段と、前記第２の通路に設けられた加熱手段とを備え、
前記回転素子は、前記第１の通路からの室外空気の水分を吸着する吸着部と、前記第２の通路からの前記加熱手段で加熱された室外空気に水分を放出する加湿部とに区画され、前記加湿部を経た加湿空気を室内に排気する加湿装置であって、
前記第１の通路の風量は、前記第２の通路の風量の５〜１５倍の範囲内であることを特徴とする加湿装置。
【請求項３】
前記第２の通路は、前記回転式素子を通過した室内空気を再び前記回転式素子に供給する中間通路をさらに備え、前記加熱手段は前記中間通路に設けられており、
前記回転式素子は、前記第１の通路に対応する吸着部と、前記第２の通路のうち、室内空気を最初に前記回転式素子に供給する部分に対応する熱回収部と、前記中間通路のうち、前記加熱手段で加熱した前記室内空気を再び前記回転式素子に供給する部分に対応する加湿部とに区画されている請求項１又は２に記載の加湿装置。
【請求項４】
請求項１から３のいずれかに記載の加湿装置を用いた空気調和機。
【請求項５】
吸い込み口から吸引した空気を加湿させ、この加湿空気を吹き出し口から室内に供給する加湿装置を備えた空気調和機であって、
前記吹き出し口は、吹き出された加湿空気が、前記空気調和機の室内機の吹き出し空気と混合するように配置されており、
前記吸い込み口は、前記吹き出し口から吹き出された加湿空気を直接吸い込まない位置に配置されていることを特徴とする加湿装置。
【請求項６】
前記吹き出し口は、前記空気調和機の室内機の前面側に配置されており、前記吸い込み口は前記室内機の背面に配置されている請求項５に記載の加湿装置。
【請求項７】
吸い込み口から吸引した空気を加湿させ、この加湿空気を吹き出し口から室内に供給する加湿装置を備えた空気調和機であって、
前記空気調和機の室内機は、前記室内機からの吹き出し空気の風向を上下方向に調節する第１の風向変更板と、左右方向に調節する第２の風向変更とを備え、前記吹き出し口は、吹き出された加湿空気が、前記空気調和機の室内機の吹き出し空気と混合するように配置されており、
前記第１の風向変更板の角度を空気が上向きに送風される角度とし、かつ前記第２の風向変更板の角度を空気が左右に広がって送風される角度とする設定が可能であることを特徴とする空気調和機。
【発明の詳細な説明】
【０００１】
【発明の属する技術分野】
本発明は、水分の吸着と放出とが可能な回転式素子を用いた加湿装置、及び加湿装置を用いた空気調和機に関する。
【０００２】
【従来の技術】
従来の加湿装置としては、例えば特開平１１−２４１８３８号公報、特開平１１−２４１８３９号公報に提案されているものがある。この構成では、回転式素子は、通過空気の水分を吸着する吸着部分と、通過空気に熱を与える熱回収部分と、この熱回収部分を通過した空気に水分を与える加湿部分とに区画されて用いられる。
【０００３】
この構成において、吸着部分の上流側に設けた第１の送風ファンで、吸着部分に外気を通過させて、外気の水分が吸着部に吸着される。一方、熱回収部分の上流側に設けた第２の送風ファンで熱回収部分に室内空気を通過させ、これを電気ヒータで加熱して高温空気とする。この高温空気は、加湿部を通過して水分が供給され、加湿空気になった後、室内へ給気され、室内が加湿されることになる。
【０００４】
【発明が解決しようとする課題】
しかしながら、前記のような従来の構成では、加湿運転停止時に通路内に水分が残ってしまうため、衛生面での問題があった。また、これらの加湿を空気調和機に用いた場合、加湿空気が室内に十分に攪拌されないと、室内全体に亘り十分な加湿性能が得られないという問題があった。
【０００５】
本発明は前記のような従来の問題を解決するものであり、衛生面の改善を図る機能を追加したり、加湿能力を向上せて加湿性能を向上させた加湿装置及びこれを用いた空気調和機を提供することを目的とする。
【０００６】
【課題を解決するための手段】
前記目的を達成するために、本発明の第１の加湿装置は、水分の吸着と放出とが可能な回転素子と、吸引した室外空気を、前記回転素子を介して室外に導く第１の通路と、前記室外空気の吸引を行う第１の送風手段と、吸引した室内空気を、前記回転素子を介して室内に導く第２の通路と、前記室内空気の吸引を行う第２の送風手段と、前記第２の通路に設けられた加熱手段とを備え、
前記回転素子は、前記第１の通路からの室外空気の水分を吸着する吸着部と、前記第２の通路からの前記加熱手段で加熱された室外空気に水分を放出する加湿部とに区画され、前記加湿部を経た加湿空気を室内に排気する加湿装置であって、
前記加湿装置の運転を制御する制御手段をさらに備え、前記制御手段は、前記加湿装置の運転停止の際は、前記回転素子の回転駆動を停止させ、前記加熱手段、及び前記第２の送風機の運転は停止させることなく、一定時間これらの運転を継続した後、これらの運転を停止する設定を含んでいることを特徴とする。
【０００７】
本発明の第２の加湿装置は、水分の吸着と放出とが可能な回転素子と、吸引した室外空気を、前記回転素子を介して室外に導く第１の通路と、前記室外空気の吸引を行う第１の送風手段と、吸引した室内空気を、前記回転素子を介して室内に導く第２の通路と、前記室内空気の吸引を行う第２の送風手段と、前記第２の通路に設けられた加熱手段とを備え、
前記回転素子は、前記第１の通路からの室外空気の水分を吸着する吸着部と、前記第２の通路からの前記加熱手段で加熱された室外空気に水分を放出する加湿部とに区画され、前記加湿部を経た加湿空気を室内に排気する加湿装置であって、
前記第１の通路の風量は、前記第２の通路の風量の５〜１５倍の範囲内であることを特徴とする。
【０００８】
次に、本発明の第１の空気調和機は、吸い込み口から吸引した空気を加湿させ、この加湿空気を吹き出し口から室内に供給する加湿装置を備えた空気調和機であって、
前記吹き出し口は、吹き出された加湿空気が、前記空気調和機の室内機の吹き出し空気と混合するように配置されており、
前記吸い込み口は、前記吹き出し口から吹き出された加湿空気を直接吸い込まない位置に配置されていることを特徴とする。
【０００９】
本発明の第２の空気調和機は、吸い込み口から吸引した空気を加湿させ、この加湿空気を吹き出し口から室内に供給する加湿装置を備えた空気調和機であって、
前記空気調和機の室内機は、前記室内機からの吹き出し空気の風向を上下方向に調節する第１の風向変更板と、左右方向に調節する第２の風向変更とを備え、前記吹き出し口は、吹き出された加湿空気が、前記空気調和機の室内機の吹き出し空気と混合するように配置されており、
前記第１の風向変更板の角度を空気が上向きに送風される角度とし、かつ前記第２の風向変更板の角度を空気が左右に広がって送風される角度とする設定が可能であることを特徴とする。
【００１０】
【発明の実施の形態】
本発明の加湿装置は、加湿装置の運転停止の際は、回転素子の回転駆動を停止させ、室内空気用の加熱手段、及び送風機の運転は停止させることなく、一定時間これらの運転を継続した後、これらの運転を停止する設定を含んでいることにより、加湿装置内での菌の繁殖を抑えることができ、菌の室内への放出も防止できる。
【００１１】
また、室外空気の通路の風量を、室内空気の通路の風量の５〜１５倍の範囲内としたことにより、最適な条件で加湿能力を発揮でき、無駄なエネルギーを省くことができる。
【００１２】
また、加熱手段の入力値と室内が目標湿度に到達するまでの時間から、室内を設定湿度に維持するのに必要な入力値を算出し、設定湿度到達時にはその入力値で加湿装置を運転することにより、必要最小限の消費電力で室内の湿度を安定して保つことができる。
【００１３】
本発明の加湿装置においては、前記第２の通路は、前記回転式素子を通過した室内空気を再び前記回転式素子に供給する中間通路をさらに備え、前記加熱手段は前記中間通路に設けられており、
前記回転式素子は、前記第１の通路に対応する吸着部と、前記第２の通路のうち、室内空気を最初に前記回転式素子に供給する部分に対応する熱回収部と、前記中間通路のうち、前記加熱手段で加熱した前記室内空気を再び前記回転式素子に供給する部分に対応する加湿部とに区画されていることが好ましい。この構成によれば、回転式素子に、熱回収部を設けたことにより、吸着部には熱回収部において事前に冷却された部分が回転移動してくるので、吸着部を通過する空気の水分の吸着能力を高めることができる。
【００１４】
本発明の空気調和機は、加湿空気と室内機の吹き出し空気とが混合するように配置され、加湿空気の吸い込み口は、吹き出し口から吹き出された加湿空気を直接吸い込まない位置に配置されていることにより、室内の湿度を速やかに所定の湿度に到達させることができる。
【００１５】
この構成において、前記吹き出し口は、前記空気調和機の室内機の前面側に配置されており、前記吸い込み口は前記室内機の背面に配置されていることが好ましい。このことは、吹き出し口から吹き出された加湿空気が、直接加湿空気の吸い込み口に吸い込まれることの防止に有効である。
【００１６】
また、本発明の空気調和機は、風向を上下方向に調節する第１の風向変更板と、左右方向に調節する第２の風向変更とを備え、第１の風向変更板の角度を空気が上向きに送風される角度とし、かつ第２の風向変更板の角度を空気が左右に広がって送風される角度とする設定が可能であることにより、室内全体を速やかに所定の湿度に到達させることができる。
【００１７】
以下、本発明の一実施形態について図面を参照しながら説明する。
【００１８】
（実施の形態１）
図１は、実施形態１に係る加湿装置の概略構成図を示している。加湿装置１内には、回転素子４が組み込まれている。回転素子４は、セラミックスのハニカム成型体に水分の吸着、脱離が可能な吸着剤を担持して得られる。例えば吸着剤にシリカゲルやゼオライト等を用いれば、低温（室温）でに水分を吸着し、約６０℃以上の高温で水分を脱離させることができる。
【００１９】
回転素子４は円筒形状であり、その大きさは例えば直径２００〜３００ｍｍ、厚さ３０ｍｍであり、２〜３ｒｐｍで回転するように制御される。回転素子４の、水分の吸着及び放出ができる性質を利用して、回転素子４は吸着部５と加湿部６とに区画されて使用される。吸着部５と加湿部６との比率は、例えば３：１が適当である。
【００２０】
吸着部５は、空気から水分を吸着する部分である。装置外から取り込まれた低温空気は、吸着部分２を通過すると、その空気に含まれる水分は、吸着部５に吸着されて取り除かれる。
【００２１】
加湿部６は、空気に水分を与える部分である。加湿部６に、加熱処理して温度上昇した空気を通過させると、その空気に水分が与えられ湿潤化を図ることができる。この場合、加湿部６は水分を吸着する機能が回復することになる。
【００２２】
なお、吸着部５と加湿部６の位置は固定されているが、回転素子４の回転に伴って、吸着部５、加湿部６に対応する回転素子４の部分が変化する。例えば、図１の状態において、吸着部５と対応している回転素子４の部分は、矢印Ｘ方向に回転が進行すると、順次、加湿部６に対応する部分に移動し、加湿部６に対応している回転素子４の部分は、矢印Ｘ方向に回転が進行すると、順次、吸着部５に対応する部分に移動することになる。
【００２３】
加湿装置１には、吸引した室外空気Ａを、回転素子４の吸着部５を経て室外へ排気させる通路７が配設されている。以下、加湿装置が室内に加湿空気を供給する運転をしている状態において、通路内を空気が始点ａから終点ｂへと進行しているとすると、始点ａ側を上流側といい、終点ｂ側を下流側という。
【００２４】
通路７のうち、回転素子４に対して上流側に、送風手段であるファン８が設けられている。ファン８の送風作用により、室外空気Ａは通路７内に吸引され、回転素子４の吸着部５を経て室外へ排気される。この場合、室外空気Ａは、吸着部５において、水分が吸着され乾燥した状態で排気されることになる。
【００２５】
また、加湿装置１内には、吸引した室内空気Ｂを回転素子４の加湿部６を経て室内へ排気させる通路２が配設されている。通路２のうち、回転素子４に対して下流側に、送風手段であるファン３が設けられている。ファン３の送風作用によって、室内空気Ｂは、通路２内に吸引される。
【００２６】
通路７内の空気は、加熱手段であるヒータ９で加熱され、この加熱された高温空気は加湿部６に至る。ヒータ９は、ニクロムヒータやセラミックヒータを用いることができる。加湿部６には、回転素子４のうち吸着部５において水分を吸着した部分が回転移動してくるので、加湿部６において、高温空気に水分が与えられ、加湿処理された湿潤空気が室内に排気され、室内が加湿されることになる。
また、高温空気に水分を与えることにより、回転素子４は、水分吸着性の回復が図られ、吸着部５に回転移動し、再び水分を吸着することになる。
【００２７】
ここで、前記のように通路７の回転素子４に対して上流側は、湿潤空気が流動するので、加湿装置１の作動時間の経過に伴い通路内は多湿状態になる。この状態で加湿装置の運転を停止させると、通路内には結露する部分も発生する。このため、室内から導入される菌が繁殖する可能性もあり、衛生面の対策が必要となる。
【００２８】
本実施形態は制御手段（図示せず）を備えており、この制御手段により、回転素子４、ヒータ９、及び送風機３、８の通電の入切を制御できる。この制御手段は、加湿空気の室内供給を停止した場合は、回転素子４の回転駆動は停止させるが、ヒータ９の加熱、送風機２の回転は停止させることなく、そのまま一定時間これらの通電を継続した後、これらの通電を停止するという設定を備えている。
【００２９】
このことにより、加湿空気の室内供給を停止した場合は、ヒータ９で加熱された空気が一定時間、通路７内を流動し室内へ排気されるので、通路７内を乾燥させることができる。この場合、回転素子４は停止しているので、水分を含んだ部分が順次回転移動してくることはなく、一定時間経過すれば加湿部６も乾燥し、加湿空気が通路６の上流側に供給されることもない。
【００３０】
なお、加湿空気の室内供給の停止は、人の操作により停止した場合だけでなく、タイマ等で自動的に停止した場合も含む。
【００３１】
図１に示した構成の加湿装置１を用いて、通路７から放出された菌数を測定し、効果を検証した。実験に用いた加湿装置１の回転素子４は、直径３００ｍｍ、厚さ３０ｍｍの回転素子にシリカゲルを担持したものを用い、ヒータ９にはニクロムヒータを用い、入力は５００Ｗとした。また、通路２（室外空気用）の風量は５ｍ３／ｍｉｎ、通路７（室外空気用）の風量は０．５ｍ３／ｍｉｎと設定した。
【００３２】
実験には、２台の加湿装置を用い、本実施形態に係る加湿装置（加湿装置Ａ）は、加湿運転終了後、回転素子を停止した状態で、経路内の乾燥運転（ヒータ９及び送風機２を運転）を３０分行う設定とし、比較例に係る加湿装置（加湿装置Ｂ）は、加湿運転終了と同時に、経路内の送風も停止させる設定とした。
【００３３】
加湿装置Ａ及びＢを並べて設置し、人の居住する室内（３０ｍ３）の外壁に設置し、２４時間運転した後、加湿運転を停止させた。その後、本実施形態に係る加湿装置Ａは、設定の通り回転素子を停止した状態で、経路内の乾燥運転を３０分行った。この後、加湿装置Ａは２４時間放置した。
【００３４】
一方、比較例に係る加湿装置Ｂは、加湿運転を停止後、２４時間放置した。この場合、加湿装置Ｂは加湿運転を停止後は、経路内の送風も停止していることになる。
【００３５】
実験開始から２４時間の放置が完了するまでの間、室外は気温２〜８℃、湿度４０〜５０％であった。２４時間の放置後、再度加湿装置Ａ及びＢを運転し、
通路７の吹き出し口から吹き出される空気を、寒天培地を入れたシャーレに１０分間あてた。このシャーレを３７℃で１８時間保存し、シャーレに繁殖した大腸菌等と思われる菌のコロニー数を数えた。その結果、加湿装置Ａの場合は、コロニーが１個であったのに対して、加湿装置ｂの場合は、コロニーが３２個であり、明らかな差が確認された。
【００３６】
（実施の形態２）
図１に示したような加湿装置１において、通路２に設けた室外空気用の送風機３と、通路７に設けた室内空気用の送風機８との風量比と加湿能力との関係について実験確認を行った。
【００３７】
実験に用いた加湿装置１は、図１の構成であり、回転素子４として、直径３００ｍｍ、厚さ２０ｍｍのセラミックスのハニカム成型体にシリカゲルを担持したものを用い、ヒータ９としてニクロムヒータを用いた。
【００３８】
実験は、室外空気用の通路２と、室内空気用の通路７の風量をそれぞれ変化させて加湿量の変化を測定した。加湿量は通路７の吹出し口から出る空気の温度と露点（絶対湿度）と風量とから算出した。
【００３９】
以下の表１にサンプルのＮｏ．１〜１６の測定結果を、表２にサンプルのＮｏ．１７〜３２の測定結果を、表３にサンプルのＮｏ．３３〜４８の測定結果を示す。表１〜３中、Ａは通路２（室外空気用）の風量、Ｂは通路７（室内空気用）の風量を示している。
【００４０】
【表１】
2004020109.tif 000003
【００４１】
【表２】
2004020109.tif 000004
【００４２】
【表３】
2004020109.tif 000005
【００４３】
表１の結果をみると、Ａ／Ｂの値が５〜１５の範囲内において、十分な加湿量を維持しつつ安定しており、この範囲から外れると加湿量は低下しその低下率も大きくなっている。このことは、表２、３の結果についても同様である。
【００４４】
これらの結果より、室外空気用の通路の風量を、室内空気用の通路の風量に対して５〜１５倍の範囲内に設定すれば、十分な加湿能力を発揮でき、無駄なエネルギーを省くことにもなる。
【００４５】
なお、回転素子４の直径を２００ｍｍｍ、４００ｍｍ、５００ｍｍとした場合でも同様の傾向の結果が得られ、ヒータ入力を２００Ｗから５００Ｗまで変化させた場合でも同様の傾向の結果が得られた。また、吸着剤をゼオライトにした場合も同様であった。
【００４６】
（実施の形態３）
図２（ａ）は、実施形態３に係る空気調和機の要部断面図である。本図に示した空気調和機は、室内送風機と室内熱交換器とを含む室内機と、室外送風機と室外熱交換器とを含む室外機とを備え、冷房、暖房、及び除湿等の機能を有するヒートポンプ式空気調和機の例であり、本図は室内機を図示している。
【００４７】
室内機本体１０内には、熱交換器１１、及びクロスローファン（以下、「ファン」という。）１２が設けられており、室内機本体１０の下部には、ファン１２で送風される空気の向きを調節する風向変更板１３が設けられている。
【００４８】
室内機本体１０内には、図１に示した構成の加湿装置１の通路７が取り付けられており、室内機本体１０の背面上部に通路７の吸い込み口７ｂが配置されており、風向変更板１３の後方（室内機本体１０の背面側）に通路７の吹き出し口７ａが配置されている。この構成によれば、吹き出し口７ａから吹き出される空気と、ファン１２で送風される空気とを混合して風向変更板１３を経て室内に吹き出すことができる。さらに、吹き出し口７ａから吹き出された空気が、吸い込み口７ｂに直接吸い込まれることを防止できる。
【００４９】
図２（ｂ）は、比較例に係る空気調和機の要部断面図である。図２（ａ）の構成が、通路７の吸い込み口７ｂが室内機本体１０の背面上部に配置されているのに対して、図２（ｂ）の構成は、吸い込み口７ｂは室内機本体１０の下部のうち、吸い込み口７ｂの近傍に配置されている。
【００５０】
これらの本実施形態に係る空気調和機、及び比較例に係る空気調和機を用いて比較実験を行った。設置条件は、図３に示した通りであり、空気調和機の室内機本体１０を室内側壁上部に、加湿装置１を室外側壁上部に、空気調和機の室外機を室外側壁下部にそれぞれ配置した。室内機本体１０と室外機１４とは冷媒配管（図示せず）によって連結されている。また、室外環境を５℃、５０％とし、空気調和機の室温設定は２５℃とした。
【００５１】
比較実験によって、図３の測定点Ｘ（室内中央）の相対湿度５０％に到達する時間を測定し比較した。その結果、本実施形態に係る空気調和機が３５分に対して、比較例に係る空気調和機は６２分であった。このように、比較例に係る空気調和機の到達時間が遅いのは、本実施形態に係る空気調和機では、吹出し口７ａから吹き出された加湿空気の大半は室内へ吹き出されるのに対して、比較例に係る空気調和機では、吹出し口７ａから吹き出された加湿空気の相当量が室内へ吹き出される前に吸い込み口７ｂ吸い込まれるためと考えられる。
【００５２】
（実施の形態４）
図４は、実施形態４に係る空気調和機の要部断面図であり、本図は室内機を図示している。室内機本体１０内には、熱交換器１１、及びファン１２が設けられており、室内機本体１０の下部には、ファン１２で送風される空気の向きを調節する風向変更板１３、及び風向変更板１６が設けられている。風向変更板１３が上下方向の風向を調節するものであるのに対して、風向変更板１６は左右方向の風向を調節するものである。
【００５３】
風向変更板１６の後方（室内機本体１０の背面側）に通路７の吹き出し口７ａが配置されている。また、通路７の吸い込み口７ｂが、吹き出し口７ａの近傍に配置されている。
【００５４】
このような室内機本体１０において、風向変更板１３及び風向変更板１６の角度設定を２種類として比較実験を行った。第１の設定は、風向変更板１３の角度を空気が上向きに送風される角度とし、かつ風向変更板１６の角度を空気が左右に広がって送風される角度とする設定である。第２の設定は、風向変更板１３の角度を空気が下向きに送風される角度とし、かつ風向変更板１６の角度を空気が左右に広がらずに送風される角度とする設定である。、
第１の設定、及び第２の設定において、図３のＺ点（室内機１０から離れたコーナ部）において相対湿度が５０％に到達する時間Ｔを比較した。第１の設定では時間Ｔが４６分であるのに対して、第２の設定では時間Ｔが７５分であり、第１の設定の加湿能力が優れていることが分った。これは、第１の設定では、加湿空気が室内全体に攪拌されるためと考えられ、第１の設定によれば、部屋の端部の湿度も速やかに上昇させることが可能となる。
【００５５】
なお、通路７の吸い込み口７ｂが、吹き出し口７ａの近傍に配置されている例で説明したが、図２（ａ）の例のように、吸い込み口７ｂを室内機本体１０の背面上部に配置してもよい。
【００５６】
また、空気を循環させず、外気を加湿空気として室内導入する構成の加湿機能付空気調和機においても同様の結果が得られた。
【００５７】
（実施の形態５）
図５は、実施形態５に係る加湿装置の概略構成図を示している。回転素子４は、吸着部５、加湿部６、及び熱回収部１５に区画されて使用される。熱回収部１５は、温度の低い空気を通過させて、回転素子４の温度を下げるとともに、通過空気の温度を高める部分である。
【００５８】
また、本実施形態では、室内空気Ａが吸引されている場合において、通路７のうち、回転素子４（熱回収部１５）へ最初に室内空気を導く供給通路７ａと、回転素子４（加湿部６）を通過した室内空気を室内へ排気する排気通路７ｂとの間に、中間通路７ｃが配置されている。ヒータ９は、この中間通路７ｃに設けられている。
【００５９】
熱回収部１５には供給通路７ａからの室内空気が取り込まれる。加湿部６は、ヒータ９で加熱された温度の高い空気が通過するので、加湿部６の温度が上昇する。熱回収部１５には、室温である室内空気Ａが取り込まれるので、回転により加湿部６に対応する部分が熱回収部１５に移動すると、熱回収部１５における回転素子４は冷却されることになる。この場合、熱回収部１５を通過した空気は温度上昇することになる。この構成によれば、吸着部５へは、熱回収部１５において事前に冷却された部分が回転移動してくるので、吸着部５を通過する空気の水分の吸着能力を高めることができる。
【００６０】
本図に示した加湿装置１ａにおいても、加湿処理された湿潤空気が、通路７ｂを経て室内に排気され、室内が加湿されることは、図１に示した加湿装置１と同様であり、前記各実施形態と組み合わせて用いることができる。
【００６１】
【発明の効果】
以上のように、本発明の加湿装置によれば、加湿装置の運転停止の際は、回転素子の回転駆動を停止させ、室内空気用の加熱手段、及び送風機の運転は停止させることなく、一定時間これらの運転を継続した後、これらの運転を停止する設定を含んでいることにより、加湿装置内での菌の繁殖を抑えることができ、菌の室内への放出も防止できる。
【００６２】
また、本発明の空気調和機によれば、加湿空気と室内機の吹き出し空気とが混合するように配置され、加湿空気の吸い込み口は、吹き出し口から吹き出された加湿空気を直接吸い込まない位置に配置されていることにより、室内の湿度を速やかに所定の湿度に到達させることができる。
【図面の簡単な説明】
【図１】本発明の一実施形態に係る加湿装置の斜視図
【図２】（ａ）本発明の一実施形態に係る空気調和機の室内機の断面図
（ｂ）本発明の比較例に係る空気調和機の室内機の断面図
【図３】本発明の加湿装置及び空気調和機の配置図
【図４】本発明の別の実施形態に係る空気調和機の室内機の断面図
【図５】本発明の別の実施形態に係る加湿装置の斜視図
【符号の説明】
１，１ａ　加湿装置
２，７　通路
３，８　送風機
４　回転素子
５　吸着部
６　加湿部
９　ヒータ
１０　室内機本体
１３，１６　風向変更板
１４　室外機
【図１】
2004020109.tif 000006
【図２】
2004020109.tif 000007
【図３】
2004020109.tif 000008
【図４】
2004020109.tif 000009
【図５】
2004020109.tif 000010